(57)【要約】  複数の電子文書のディスプレイ装置。この装置は、ディスプレイスタンドあるいはパーソナルコンピュータあるいは他のデータ処理装置にヒンジ等を介して結合された、１以上の傾斜、回転、取り外し可能なディスプレイ機器を有する。データ処理装置で動作する画面制御ユーザインタフェースは、異なるディスプレイ機器間での電子文書の切換えを提供する。１以上のディスプレイ機器は、ローカルメモリ、電源、アプリケーションソフトウェアを備え、その画面は、電子文書を表示したまま、複数文書ディスプレイ装置から取り外すことができる。表示された電子文書は、第２のユーザがマークすることができ、編集のために第１のユーザに戻すことができる。
2008500615.tif 000002
【特許請求の範囲】
【請求項１】
第１のディスプレイ画面と、第１のユーザ入力機器と、前記第１のディスプレイ画面および前記第１のユーザ入力機器に接続されたプロセッサとを備えるデータ処理装置であって、該プロセッサは、前記第１のディスプレイ画面上に、複数の操作選択アイコンを有するグラフィック・ユーザインタフェースを提供するデータ処理装置と、
前記データ処理装置と通信する第１のディスプレイ機器であって、該第１のディスプレイ機器は、第２のディスプレイ画面を有し、前記プロセッサは、前記第１のユーザ入力機器を用いて行われる、前記グラフィック・ユーザインタフェース上の第１の操作選択アイコンのユーザ選択に応じて、前記第２のディスプレイ画面について第１の操作を加える第１のディスプレイ機器と、
を備えるコンピュータ・ディスプレイシステム。
【請求項２】
前記第１の操作は、第１のディスプレイ画面と第２のディスプレイ画面との間で画像を移動させることである請求項１に記載のコンピュータ・ディスプレイシステム。
【請求項３】
前記第１の操作により、現在の作業画面として第２のディスプレイ画面を呼び出す請求項１に記載のコンピュータ・ディスプレイシステム。
【請求項４】
前記第１の操作により、第２のディスプレイ画面に表示されている画像を隠す請求項１に記載のコンピュータ・ディスプレイシステム。
【請求項５】
さらに、前記データ処理装置と通信する第２のディスプレイ機器を備え、該第２のディスプレイ機器は、第３のディスプレイ画面を有する請求項１に記載のコンピュータ・ディスプレイシステム。
【請求項６】
前記第１のユーザ入力機器を用いる、前記グラフィック・ユーザインタフェースの第２の操作選択アイコンのユーザ選択に応じて、第２の操作が、前記第３のディスプレイ画面について行われ、該第２の操作により、前記第２のディスプレイ画面と前記第３のディスプレイ画面との間で画像を移動させる請求項５に記載のコンピュータ・ディスプレイシステム。
【請求項７】
前記第１のディスプレイ機器は、データ処理装置に機械的に結合されている請求項１に記載のコンピュータ・ディスプレイシステム。
【請求項８】
さらに、ディスプレイスタンドを備え、前記第１のディスプレイ機器は、該ディスプレイスタンドに取り外し可能に結合されている請求項１に記載のコンピュータ・ディスプレイシステム。
【請求項９】
さらに、前記第１のディスプレイ機器は、コントローラ、メモリ、および第２のユーザ入力機器を備え、該メモリに記憶されているプログラム命令は、実行されると、
コントローラに、
第２のディスプレイ画面上に電子文書を表示するステップと、
前記表示された電子文書に関するユーザの注記を受信するステップであって、前記注記は、第２のユーザ入力機器を用いて入力されたものであるステップと、
第２のディスプレイ画面上のユーザの注記を表示するステップと、
前記メモリにユーザの注記を記憶するステップと、
を実行させる請求項１に記載のコンピュータ・ディスプレイシステム。
【請求項１０】
第１のディスプレイ画面と、第１のユーザ入力機器と、前記第１のディスプレイ画面および前記第１のユーザ入力機器とに接続されたプロセッサとを有するデータ処理装置を備え、該プロセッサは、複数の操作選択アイコンを有するグラフィック・ユーザインタフェースを、前記第１のディスプレイ画面上に提供するコンピュータ・ディスプレイシステムであって、さらに前記データ処理装置と通信するディスプレイ装置を備えるコンピュータ・ディスプレイシステムにおいて、
ディスプレイスタンドと、
該ディスプレイスタンドに結合され、かつ第２のディスプレイ画面を有する第１のディスプレイ機器であって、前記第１のユーザ入力機器を用いて行われる、前記グラフィック・ユーザインタフェース上の第１の操作選択アイコンのユーザ選択に応じて、前記プロセッサが、前記第２のディスプレイ画面について前記第１の操作を加えるディスプレイ機器と、
を備えるディスプレイ装置。
【請求項１１】
前記第１の操作は、第１のディスプレイ画面と第２のディスプレイ画面との間で画像を移動させることである請求項１０に記載のディスプレイ装置。
【請求項１２】
前記第１の操作により、現在の作業画面として第２のディスプレイ画面を呼び出す請求項１０に記載のディスプレイ装置。
【請求項１３】
前記第１の操作により、第２のディスプレイ画面に表示されている画像を隠す請求項１０に記載のディスプレイ装置。
【請求項１４】
さらに、前記ディスプレイスタンドに結合された第２のディスプレイ機器を備え、該第２のディスプレイ機器は、第３のディスプレイ画面を有する請求項１０に記載のディスプレイ装置。
【請求項１５】
前記第１のユーザ入力機器を用いることによって、前記グラフィック・ユーザインタフェースの第２の操作選択アイコンのユーザ選択に応じて、第２の操作が、前記第３のディスプレイ画面について加えられるもので、該第２の操作によって、前記第２のディスプレイ画面と前記第３のディスプレイ画面とで画像を移動させる請求項１４に記載のディスプレイ装置。
【請求項１６】
さらに、前記第１のディスプレイ機器は、コントローラと、メモリと、第２のユーザ入力機器とを備え、該メモリに記憶されているプログラム命令は、実行されると、
コントローラに、
前記第２のディスプレイ画面上に電子文書を表示するステップと、
前記表示された電子文書に関するユーザの注記を受信するステップであって、該注記は、第２のユーザ入力機器を用いて入力されたものであるステップと、
前記第２のディスプレイ画面上に前記ユーザの注記を表示するステップと、
前記メモリにユーザの注記を記憶するステップと、
を実行させる請求項１０に記載のディスプレイ装置。
【請求項１７】
第１のディスプレイ画面を備えた第１のディスプレイ機器と、該第１のディスプレイ機器に接続されたデータ処理装置とを有するコンピュータ・ディスプレイシステムにおいて、前記データ処理装置は、
複数の操作選択アイコンを有するグラフィック・ユーザインタフェースを表示する第２のディスプレイ画面と、
前記グラフィック・ユーザインタフェースから第１の操作選択アイコンを選択するユーザ入力機器と、
前記第２のディスプレイ画面と前記ユーザ入力機器とに接続されたプロセッサであって、前記第２のディスプレイ画面上に前記グラフィック・ユーザインタフェースを提供し、第１の操作選択アイコンのユーザ選択に応じて、第１のディスプレイ画面について第１の操作を加えるプロセッサと、
を備えるデータ処理装置。
【請求項１８】
前記第１の操作は、第１のディスプレイ画面と第２のディスプレイ画面との間で画像を移動させることである請求項１７に記載のデータ処理装置。
【請求項１９】
前記第１の操作により、現在の作業画面として第２のディスプレイ画面を呼び出す請求項１７に記載のデータ処理装置。
【請求項２０】
前記第１の操作により、第２のディスプレイ画面に表示されている画像を隠す請求項１７に記載のデータ処理装置。
【請求項２１】
前記データ処理装置は、第３のディスプレイ画面を有する第２のディスプレイ機器と通信し、第２の操作が、前記グラフィック・ユーザインタフェースの第２の操作選択アイコンのユーザ選択に応じて、前記第３のディスプレイ画面について加えられ、該第２の操作により、前記第２のディスプレイ画面と前記第３のディスプレイ画面との間で画像を移動させる請求項１７に記載のデータ処理装置。
【請求項２２】
第１のディスプレイ画面と第１のユーザ入力機器とを備えるデータ処理装置と、該データ処理装置と通信するディスプレイ機器とを備えるコンピュータ・ディスプレイシステムであって、前記第１のディスプレイ機器は、第２のディスプレイ画面を有するコンピュータ・ディスプレイシステムにおいて、該コンピュータ・ディスプレイシステムに表示される画像を操作する方法であって、
複数の操作選択アイコンを有するグラフィック・ユーザインタフェースを、第１のディスプレイ画面上に提供するステップと、
前記第１のユーザ入力機器を介して、前記グラフィック・ユーザインタフェースから第１の操作選択アイコンのユーザ選択を受信するステップと、
前記第１の操作選択アイコンの前記選択に応じて、第２のディスプレイ画面について第１の操作を加えるステップと、
を有する方法。
【請求項２３】
前記第１の操作は、第１のディスプレイ画面と第２のディスプレイ画面との間で画像を移動させることである請求項２２に記載の方法。
【請求項２４】
前記第１の操作により、現在の作業画面として第２のディスプレイ画面を呼び出す請求項２２に記載の方法。
【請求項２５】
前記第１の操作により、第２のディスプレイ画面に表示されている画像を隠す請求項２２に記載の方法。
【請求項２６】
前記データ処理装置は、第３のディスプレイ画面を有する第２のディスプレイ機器と通信するものであって、さらに、
前記第１のユーザ入力機器を介して、前記グラフィック・ユーザインタフェースから第２の操作選択アイコンのユーザ選択を受信するステップと、
前記第２の操作選択アイコンの前記選択に応じて、第３のディスプレイ画面について第２の操作を加えるステップであって、該第２の操作は、前記第２のディスプレイ画面と前記第３のディスプレイ画面との間で画像を移動させるステップと、
を有する請求項２２に記載の方法。
【請求項２７】
第１のディスプレイ機器は、ディスプレイスタンドに結合され、かつ第２のユーザ入力機器を有し、さらに、
前記第２のディスプレイ画面の電子文書を表示するステップと、
前記電子文書が、前記第２のディスプレイ画面に表示されたまま、前記第１のディスプレイ機器をディスプレイスタンドから取り外すステップと、
前記表示された電子文書に関するユーザの注記を受信するステップであって、前記注記は、前記第１のディスプレイ機器が、前記ディスプレイスタンドから取り外されている間に、前記第２のユーザ入力機器を介して入力されたものであるステップと、
前記第２のディスプレイ画面上に前記ユーザの注記を表示するステップと、
前記メモリにユーザの注記を記憶するステップと、
を有する請求項２２に記載の方法。
【請求項２８】
第１のディスプレイ画面と第１のユーザ入力機器を有するデータ処理装置と、該データ処理装置と通信するディスプレイ装置とを備えるコンピュータ・ディスプレイシステムであって、前記ディスプレイ装置は、ディスプレイスタンドと、該ディスプレイスタンドと結合された第１のディスプレイ機器とを有し、該第１のディスプレイ機器は、第２のディスプレイ画面と、第２のユーザ入力機器とを備えているコンピュータ・ディスプレイシステムにおいて、該コンピュータ・ディスプレイシステムに表示される画像を操作する方法であって、
複数の操作選択アイコンを有するグラフィック・ユーザインタフェースを、第１のディスプレイ画面上に提供するステップと、
前記第１のディスプレイ画面上に電子文書を表示するステップと、
前記第１のユーザ入力機器を介して、前記グラフィック・ユーザインタフェースから第１の操作選択アイコンのユーザ選択を受信するステップと、
前記第１の操作選択アイコンの前記ユーザ選択に応じて、前記第１のディスプレイ画面から前記第２のディスプレイ画面に前記電子文書の表示を移動させるステップと、
前記電子文書が、前記第２のディスプレイ画面に表示されたまま、前記第１のディスプレイ機器をディスプレイスタンドから取り外すステップと、
前記第２のディスプレイ画面上に表示された前記電子文書に関するユーザの注記を受信するステップであって、前記注記は、前記第１のディスプレイ機器が、前記ディスプレイスタンドから取り外されている間に、第２のユーザ入力機器を介して入力されたものであるステップと、
前記第２のディスプレイ画面上に前記ユーザの注記を表示するステップと、
前記ディスプレイスタンド上の前記第１のディスプレイ機器を再び取り付けるステップと、
前記第１のユーザ入力機器を介して、前記第２のディスプレイ画面に表示された前記電子文書に操作を行うステップと、
を有する方法。
【請求項２９】
さらに、前記第１のユーザ入力機器を介して、前記グラフィック・ユーザインタフェースから第２の操作選択アイコンのユーザ選択を受信するステップと、
前記第１のユーザ入力機器を介して、前記第２のディスプレイ画面に表示された前記電子文書に操作を行うステップと、
を有する請求項２８に記載の方法。
【請求項３０】
さらに、前記第２のディスプレイ画面上の前記電子文書を表示するのと同時に、前記第１のディスプレイ画面に第２の電子文書を表示させるステップを有する請求項２８に記載の方法。
【発明の詳細な説明】
【技術分野】
【０００１】
本発明は一般的に、電子文書を閲覧、研究（ｒｅｓｅａｒｃｈ）、検討および編集する装置に関し、特に複数の電子文書を同時に閲覧、研究、検討および編集する装置に関する。
【背景技術】
【０００２】
最近、技術進歩により、多くの家庭および学校で行われる教育と研究の方法が、変化してきている。現在、米国のほとんどすべての大学は、カリキュラムに電子的側面をもち、これは、完全にオンラインで行われる授業から、オンライン図書館や調査ツールを提供するまでの範囲にわたっている。ＣＤ−ＲＯＭは、参考図書、指示マニュアル、およびトラブルシューティングやヘルプのマニュアルに置き換わっていることが多い。辞書や教科書は、生徒の近くに、机の上に置かれているというのではなく、マウスをクリックするだけで、すべてのコンテンツが、毎日、２４時間、利用できるようになっている。参考資料も、インターネット上でウェブページを介して提供されるか、ＣＤ−ＲＯＭで提供され、紙の資料に置き換わっていることが多い。
【０００３】
学校の宿題も、電子的に出題されることがある。これらの宿題のいくつかは、チームあるいはグループで行われる。この場合、それぞれのチームあるいはグループのメンバーは、宿題を完成させるために、各人の分担を分ける。このような宿題チームあるいは研究グループの協力は、Ｅメールを介してやりとりされることが多く、多くの修正と編集を経る場合がある。一般に、そのような編集を行うことあるいは他のタイプの研究を行うことは検討あるいは編集のための文書を印刷して、文書の紙バージョンを作成すること要する。そして一旦研究あるいは編集が済めば、文書の印刷物は処分されることがほとんどである。紙のコピーを作成して、使用して、処分することは、むだで高くつくともに、時間をも浪費するものである。
【０００４】
したがって、閲覧し、比較し、編集する目的のために、文書の１以上のバージョンを表示する装置および方法に対するニーズが存在する。そのような装置のインタフェースは、簡単、便利に使用できるものであるほうがよい。さらに、簡単に持ち運びできるほうがよく、取り外し可能なメモリ付きディスプレイと編集能力を備えるほうがよい。
【０００５】
本発明の種々の態様は、そのようなニーズとともに、その他の応用可能なニーズに合致するものである。
【発明の開示】
【０００６】
１実施形態によると、本発明は、データ処理装置と、該データ処理装置と通信する第１のディスプレイ機器を有するコンピュータ・ディスプレイシステムを対象とする。データ処理装置は、第１のディスプレイ画面と、第１のユーザ入力機器と、第１のディスプレイ画面および第１のユーザ入力機器に接続されたプロセッサとを備える。プロセッサは、第１のディスプレイ画面上に、複数の操作選択アイコンを有するグラフィック・ユーザインタフェースを提供する。第１のディスプレイ機器は、第２のディスプレイ画面を有する。ユーザは、前記第１のユーザ入力機器を用いて、グラフィック・ユーザインタフェース上の第１の操作選択アイコンを選択する。これに応じて、プロセッサは、第２のディスプレイ画面について第１の操作を加える。
【０００７】
操作は、第１のディスプレイ画面と第２のディスプレイ画面との間で画像を移動させること、現在の作業画面として第２のディスプレイ画面を呼び出すこと、および／または第２のディスプレイ画面に表示されている画像を隠すことを含む。
【０００８】
他の実施形態では、本発明は、コンピュータ・ディスプレイシステムにおけるディスプレイ装置を対象とする。コンピュータ・ディスプレイシステムは、第１のディスプレイ画面と、第１のユーザ入力機器と、第１のディスプレイ画面および第１のユーザ入力機器とに接続されたプロセッサとをもつデータ処理装置を備える。プロセッサは、複数の操作選択アイコンを有するグラフィック・ユーザインタフェースを、前記第１のディスプレイ画面上に提供する。ディスプレイ装置は、ディスプレイスタンドと、ディスプレイスタンドに結合された、第２のディスプレイ画面を有する第１のディスプレイ機器を有する。
【０００９】
ユーザは、第１のユーザ入力機器を用いて、グラフィック・ユーザインタフェース上の第１の操作選択アイコンを選択し、これに応じて、プロセッサが、第２のディスプレイ画面について前記第１の操作を加える。
【００１０】
他の実施形態では、本発明は、コンピュータ・ディスプレイシステムにおけるデータ処理装置を対象とする。コンピュータ・ディスプレイシステムは、第１のディスプレイ画面を有する第１のユーザ入力機器を備える。データ処理装置は、第２のディスプレイ画面と、ユーザ入力機器と、プロセッサとを備える。第２のディスプレイ画面は、複数の操作選択アイコンを有するグラフィック・ユーザインタフェースを表示する。ユーザ入力機器は、グラフィック・ユーザインタフェースから第１の操作選択アイコンを選択する。プロセッサは、第２のディスプレイ画面上に前記グラフィック・ユーザインタフェースを提供し、第１の操作選択アイコンのユーザ選択に応じて、第１のディスプレイ画面について第１の操作を加える。
【００１１】
さらに他の実施形態では、本発明は、コンピュータ・ディスプレイシステムに表示される画像を操作する方法を対象とする。コンピュータ・ディスプレイシステムは、第１のディスプレイ画面と第１のユーザ入力機器とを備えるデータ処理装置と、データ処理装置と通信するディスプレイ機器とを備え、第１のディスプレイ機器は、第２のディスプレイ画面を有する。この方法は、複数の操作選択アイコンを有するグラフィック・ユーザインタフェースを、第１のディスプレイ画面上に提供するステップを有する。また、この方法は、第１のユーザ入力機器を介して、グラフィック・ユーザインタフェースから第１の操作選択アイコンのユーザ選択を受信するステップを有する。さらに、この方法は、第１の操作選択アイコンの前記選択に応じて、第２のディスプレイ画面について第１の操作を加えるステップを有する。
【００１２】
他の実施形態では、本発明は、コンピュータ・ディスプレイシステムに表示される画像を操作する方法を対象とする。
【００１３】
コンピュータ・ディスプレイシステムは、第１のディスプレイ画面と第１のユーザ入力機器を有するデータ処理装置と、データ処理装置と通信するディスプレイ装置とを備える。ディスプレイ装置は、ディスプレイスタンドと、ディスプレイスタンドと結合された第１のディスプレイ機器とを有する。第１のディスプレイ機器は、第２のディスプレイ画面と、第２のユーザ入力機器とを備えている。このコンピュータ・ディスプレイシステムに表示される画像を操作する方法は、複数の操作選択アイコンを有するグラフィック・ユーザインタフェースを、第１のディスプレイ画面上に提供するステップと、第１のディスプレイ画面上に電子文書を表示するステップと、第１のユーザ入力機器を介して、前記グラフィック・ユーザインタフェースから第１の操作選択アイコンのユーザ選択を受信するステップと、第１の操作選択アイコンの前記ユーザ選択に応じて、第１のディスプレイ画面から第２のディスプレイ画面に前記電子文書の表示を移動させるステップと、電子文書が、第２のディスプレイ画面に表示されたまま、第１のディスプレイ機器をディスプレイスタンドから取り外すステップと、第２のディスプレイ画面上に表示された電子文書に関するユーザの注記を受信するステップであって、注記は、第１のディスプレイ機器が、ディスプレイスタンドから取り外されている間に、第２のユーザ入力機器を介して入力されたものであるステップと、第２のディスプレイ画面上にユーザの注記を表示するステップと、ディスプレイスタンド上の前記第１のディスプレイ機器を再び取り付けるステップと、第１のユーザ入力機器を介して、第２のディスプレイ画面に表示された電子文書に操作を行うステップと、を有する。
【００１４】
本発明のこれらのおよびその他の、特徴および、態様、利点は、以下の説明および、添付の特許請求の範囲、添付の図面を参照することにより、よりよく理解されるであろう。
【発明を実施するための最良の形態】
【００１５】
図１は、本発明の代表的実施形態による、コンピュータ・ディスプレイシステム１０を説明するブロック図である。コンピュータ・ディスプレイシステム１０は、有線あるいは無線データ通信リンク１０９を介して、データ処理装置１００に接続する複数文書ディスプレイ装置１０４を有している。
【００１６】
データ処理装置１００は、当該技術分野における従来のパーソナルコンピュータ（ＰＣ）あるいはラップトップの形態をとることもできる。データ処理装置は、ディスプレイ画面１０１と、１以上のユーザ入力機器、例えばキーボード１０２、マウス１０３を備えている。
【００１７】
複数文書ディスプレイ装置１０４は、複数の電子ディスプレイ機器、例えばディスプレイ機器１０５とディスプレイ機器１０６を含む。それぞれのディスプレイ機器１０５、１０６は、取り外し可能で、回転可能で、および／または傾動可能なように、ディスプレイスタンド１０８に結合している。ユーザは、ディスプレイ機器１０５、１０６の各画面１３４、１３６の位置を調整することができ、電子文書の表示のために「横方向（landscape）」モードあるいは「縦方向（portrait）」モードにそれぞれ個別にすることができる。例えば、ディスプレイ装置１０５は、「横方向」位置にあるように図示してあり、ディスプレイ機器１０６は、「縦方向」位置にあるように図示されている。また、ユーザは、よく見えるように、それぞれ独立して画面を傾けることができる。さらに、この１以上の画面は、電子文書を表示したまま、ディスプレイスタンドから取り外すことができる。
【００１８】
本発明の１実施形態では、データ処理装置１００は、画面制御ユーザインタフェース１１４を提供する画面制御ソフトウェア・アプリケーション１１２を実行する。画面制御ユーザインタフェースにより、ユーザは、複数文書ディスプレイ装置１０４のディスプレイ機器１０５、１０６上と同様ディスプレイ画面１０１上においても、１以上の文書の表示を操作することができる。
【００１９】
図２〜６は、本発明の１実施形態による複数文書ディスプレイ装置の各種の図である。ディスプレイ装置１０４は、ディスプレイスタンド１０８にディスプレイ機器１０５、１０６を取り付けるアーム１４０を備える。アーム１４０は、ほぼ垂直なあるいは湾曲している支持体１３０によって支持され、支持体１３０は、その反対側でディスプレイスタンドの一部となる基部１３２に載置されている。アーム１４０を垂直な支持体１３０に結合するロータリージョイント（図示せず）によって、アームは、垂直な支持体１３０に対して水平軸１４２の周りに自由に回転可能で、水平あるいは垂直なアーム位置に配置することができる。アーム１４０が水平位置に回転すると、図２〜４に示すように、ディスプレイ機器１０５，１０６は、水平左右方向配置にあるといわれる。アーム１４０が垂直位置に回転すると、図５、６に示すように、ディスプレイ機器１０５，１０６は、垂直上下方向配置にあるといわれる。
【００２０】
本発明の１実施形態では、各ディスプレイ機器１０５、１０６は、ボールジョイント１４４を介してアームに取り付けられているので、ディスプレイ機器を、アーム１４０の周りに傾けることも、回転することもできる。ボールジョイント１４４からディスプレイ機器を取り外すことによって、各ディスプレイ機器１０５、１０６は、独立してディスプレイスタンドから取り外すことができる。なお、当該技術分野で公知の他のタイプのジョイントは、そのジョイントによって、各ディスプレイ機器１０５、１０６が、取り外し可能、回転可能および／または傾動可能にディスプレイスタンド１０８に結合されるものであるかぎり、当業者であれば同様に使用可能であることが分るであろう。
【００２１】
本発明の１実施形態によると、ディスプレイ機器１０５，１０６の一方あるいは両方をコントロールするコントロールボタン１４６は、ディスプレイスタンド１０８において、例えば複数文書ディスプレ装置１０４の基部１３２に組み込まれている。ディスプレイスタンド１０８はさらに、ディスプレイ機器１０５，１０６の一方あるいは両方に電力を供給する電源１３９を備えている。電源１３９によって供給される電源の種類は、例えば交流（ＡＣ）であってもよい。
【００２２】
図７は、本発明の１実施形態によるディスプレイ機器１０５あるいは１０６をより詳細に示す図である。ディスプレイ機器１０５／１０６は、フラットパネル液晶表示（ＬＣＤ）画面、プラズマ画面、あるいはその他の当該技術分野における従来の適切なディスプレイ装置の形態をとり得るディスプレイ画面１３４またはディスプレイ画面１３６を備える。各ディスプレイ機器１０５／１０６はさらに、ディスプレイ機器を制御するために、ユーザが操作可能な各種のコントロールボタン１５２を備える。コントロールボタン１５２は、例えば電源オン／オフボタン１５２ａ、メニューボタン１５２ｂ、アップ／ダウン選択ボタン１５２ｃ、およびアップ／ダウン調整ボタン１５２ｄを含む。コントロールボタン１５２は、ディスプレイスタンド１０８に備わるコントロールボタン１４６に付加して、あるいはその代わりに設けられてよい。タッチ画面のような圧力感知技術も、ディスプレイ画面１３４／１３６に組み込むことができ、画面のある個所に触れるだけでディスプレイ機器を制御するようにできる。
【００２３】
ディスプレイ機器１０５／１０６はまた、内部および／または外部の電源１５４を備え、ディスプレイ機器に電力を供給する。電源１５４は、例えば外部ＡＣアダプタおよび／または充電可能なバッテリユニットの形態とすることもできる。電源１５４は、ディスプレイスタンド１０８に備わる電源１３９に付加して、あるいはその代わりに設けられてよい。
【００２４】
ディスプレイ機器の１以上の外部ポート１３８（図３、４）により、データ処理装置１００への接続が可能である。このような接続は、有線あるいは無線データ通信リンク１０９（図１）を用いる有線あるいは無線手段を介して行われる。
【００２５】
図８は、本発明の他の実施形態によるディスプレイ機器１０５、１０６をより詳細に示す図である。この実施形態によると、ディスプレイ機器１０５、１０６は、卓上コンピュータ、ハンドヘルドＰＣ、ポケットＰＣ、あるいは携帯端末（ＰＤＡ）の形態をとり、それぞれは、マイクロプロセッサベースのコントローラ３０６の制御の下で動作する。コントローラ３０６は、ローカルメモリ３０８に記憶されたアプリケーションソフトウェアに基づいて、必要とされる処理機能を行い、かつディスプレイ機器１０５，１０６の動作を制御する。
【００２６】
ディスプレイ画面１３４／１３６、コントロールボタン１５２、電源１５４に加えて、ディスプレイ機器１０５／１０６はさらに、コントローラ３０６によって処理されるオーディオ要素をユーザに送信するように構成されたオーディオスピーカ３００を有する。ディスプレイ機器はまた、例えばスタイラスあるいはペン３０４のような１以上のユーザ入力機器を有する。その他の入力機器としては、ポインタ機器を備えるキーボード／キーパッド、内蔵マイクロフォン、リモートコントロール機器などがある。
【００２７】
本発明の１実施形態によると、複数文書ディスプレイ装置１０４のディスプレイ機器１０５は、図７に示す実施形態に従って構成され、複数文書ディスプレイ装置１０４のディスプレイ機器１０６は、図８に示す実施形態に従って構成されている。本実施形態によると、ディスプレイ機器１０６は、複数文書ディスプレイ装置１０４から一時的に取り外し、文書の承認、提案、編集などのために他の場所に運ぶことができる。もちろん、当業者であれば理解できるように、ディスプレイ機器１０５も、同様の目的で文書をディスオプレイ画面に表示したまま、一時的に取り外すことができる。
【００２８】
操作としては、ユーザは、データ処理装置１００上で、キーボード１０２および／またはマウス１０３を取り扱って、電子文書をディスプレイ機器１０６に表示させる。ユーザは、複数文書ディスプレイ装置１０４のディスプレイスタンド１０８から、ディスプレイ機器１０６を取り外し、編集のために次のユーザに持ってゆく。次のユーザは、表示された文書をレビューして、スタイラスあるいはペン３０４を用いて、注記を編集する。編集した注記は、一度作成されると、ローカルメモリ３０８に記憶される。
【００２９】
本発明の１実施形態によると、編集した注記は、文書のテキストに組み込まれ、読みやすくするために、視覚的に強調表示される。本発明の他の実施形態によると、編集している注記は、文書に関連して別のウインドウ上にコメントとして現われる。本発明のさらに他の実施形態によると、編集した注記は、文書の表面の適宜の場所に重ねられたグラフィティとして現われる。どのような実施形態についても、編集は、ローカルメモリ３０８のアプリケーションソフトウェアの制御の下で実行される。
【００３０】
第２のユーザが、望みの注記の編集作業を終了すると、最初のユーザは、ディスプレイ機器１０６を、複数文書ディスプレイ装置１０４に戻し、ディスプレイスタンド１０８に再度取り付ける。最初のユーザが、２番目のユーザの編集を受け入れることを選ぶ場合は、その編集は、キーボード１０２またはマウス１０３を介して入力された、対応するユーザ入力命令を受信すると、手動あるいは自動のいずれかで、文書に組み込まれる。最初のユーザは、データ処理装置１００上で、キーボード１０２および／またはマウス１０３を用いて、引き続いて文書上の作業を行うことができる。
【００３１】
図９は、本発明の他の実施形態によるコンピュータ・ディスプレイシステム１０ａを示す。コンピュータ・ディスプレイシステム１０ａは、データ処理装置１００ａと、ディスプレイ機器１０５ｂ、１０６ｂ、１０７が付属する複数文書ディスプレイ装置とを備える。データ処理装置１００ａとディスプレイ機器１０５ｂ、１０６ｂ、１０７とは、図１〜８のデータ処理装置１００とディスプレイ機器１０５、１０６と同様である。この図示の実施形態では、ディスプレイ機器１０５ｂ、１０６ｂ、１０７は、スライド組立体１６０とヒンジ１６２を介して、データ処理装置１００ａと機械的に結合している。スライド組立体１６０により、ディスプレイ機器１０５ｂと１０６ｂは、ＰＣの背後にスライドすることができ、不使用時にスペースを節約することができる。ディスプレイ機器１０７は、本発明の１実施形態では、不使用時にディスプレイモニタ１６４の背後から上下にスライドさせることができる。
【００３２】
ヒンジ１６２によって、ディスプレイ機器１０５ｂ、１０６ｂ、１０７は、視認者による視認に適切な位置に角度付けられる。また、ヒンジ１６２によって、ディスプレイ機器１０５ｂ、１０６ｂ、１０７は、不使用時にデータ処理装置のディスプレイモニタ１６４の上に折りたたまれ、ディスプレイモニタを保護するのに役立つ。ディスプレイ機器１０５ｂ、１０６ｂ、１０７がヒンジで取り付けられている複数文書ディスプレイ装置は、モニタあるいはデータ処理装置の購入時に、モニタ１６４に一体化することができる。画面制御ユーザインタフェース１１４を提供する画面制御ソフトウェアアプリケーション１１２はまた、モニタあるいはデータ処理装置の購入時に、モニタ１６４と関連するメモリと一体化することができ、あるいはモニタとともに例えばＣＤのような外部ストレージデバイスで供給することができる。
【００３３】
図１０は、本発明の他の実施形態による複数文書ディスプレイ装置１０４ａのやや概略的なブロック図である。図示のこの実施形態では、ディスプレイ機器１０５ａ、１０６ａは、図１〜８のディスプレイ機器１０５、１０６と同様のものでよく、例えば、革製の紙ばさみあるいはバインダのようなポータブルケース１７０に挿入されている。ポータブルケース１７０は、ポケット１７２ａ、１７２ｂをもち、その中にディスプレイ機器１０５ａ、１０６ａを入れて、ポータブルケース内にそれらの機器を保持する。これらのポケットは、ディスプレイ機器１０５ａ、１０６ａのそれぞれのディスプレイ画面１７８ａ、１７８ｂが、画像を表示するように起動されているときによく見える材料で作られている。ポータブルケース１７０はまた、閉じた位置でケースを固定するファスナーあるいはその他の止め具を有する。
【００３４】
本発明の１実施形態によると、ディスプレイ機器１０５，１０６は、図８のコントローラ３０６と同様のものでもよいマイクロプロセッサベースのコントローラ１７４の制御の下で動作する。コントローラ１７４は、メモリ１８２および１以上のユーザ入力機器１７６に接続する。メモリ１８２は、例えばフラッシュメモリカード、あるいはメモリスティックなどであり、ディスプレイ機器１０５ａ、１０６ａに表示される１以上の文書を記憶する。ユーザ入力機器１７６は、１以上のコントロールボタン、キーボード、キーパッド、マウス、トラックボール、スタイラスおよび／またはペンを含む。
【００３５】
本発明の１実施形態によると、複数文書ディスプレイ装置１０４ａは、電子ブックとして動作するもので、メモリ１８２に格納した文書の頁を連続的に表示する。例えば、文書の１頁は、ディスプレイ画面１７８ａに現われ、文書の２頁は、ディスプレイ画面１７８ｂに現われる。コントローラ１７４の制御下で動作する頁めくりボタン１８０を選択することで、文書の３頁は、ディスプレイ画面１７８ａに現われ、文書の４頁は、ディスプレイ画面１７８ｂに現われるようにすることができる。頁めくりボタン１８０は、ディスプレイ画面１７８ａあるいは１７８ｂに組み込むことができ、またはユーザ入力機器１７６に組み込むことができる。
【００３６】
図１１は、本発明の１実施形態による、画面制御ユーザインタフェース１１４を与える画面制御ソフトウェアアプリケーション１１２を実行するデータ処理装置１００、１００ａのアーキテクチュア図である。画面制御ソフトウェアアプリケーション１１２は、データ処理装置１００のディスプレイ画面１０１とともに、ディスプレイ機器１０５、１０５ａ、１０５ｂ、１０６、１０６ａ、１０６ｂ（まとめて１０５および１０６として引用する）のディスプレイ画面１３４、１３６、１７８ａ、１７８ｂ（まとめて１３４および１３６として引用する）で、文書の表示を操作するために、ユーザによって使用される画面制御ユーザインタフェース１１４を提供する。
【００３７】
画面制御ソフトウェア・アプリケーションは、各種のソースからロードすることができる。例えば、画面制御ソフトウェア・アプリケーション１１２は、また複数文書ディスプレイ装置１０４、１０４ａ、１０４ｂ（まとめて１０４として引用する）に関し、インターネットのような広域ネットワーク（ＷＡＮ）からダウンロードすることができ、あるいはコンピュータ読み取り媒体により提供することができる。画面制御ソフトウェア・アプリケーション１１２は、ユーザによって電子文書を編集するために用いられるワードプロセッシングソフトウェア・アプリケーションに対する「プラグイン」として動作する。画面制御ソフトウェア・アプリケーション１１２はまた、オプションとして、１以上のディスプレイ機器１０５によって制御されることもある。
【００３８】
データ処理装置１００、１００ａは、システムバス４０３を介して、主メモリ４０４とＩ／Ｏインタフェース制御ユニット４０６に接続するプロセッサ４０２を有する。Ｉ／Ｏインタフェース制御ユニット４０６は、Ｉ／Ｏローカルバス４０８を介して、ストレージコントローラ４１０に接続する。プロセッサ４０２は、Ｉ／Ｏインタフェース制御ユニット４０６、Ｉ／Ｏローカルバス４０８、ストレージコントローラ４１０を介して、ストレージデバイス４１２に接続されている。画面制御ソフトウェアアプリケーション１１２に関連するコンピュータプログラム命令４１３は、ストレージデバイス４１２に格納されていて、プロセッサ４０２は、コンピュータプログラム命令４１３を読み出し、主メモリ４０４に格納する。次いでプロセッサは、主メモリに記憶されたコンピュータプログラム命令を実行して、画面制御ユーザインタフェース１１４を実現する。
【００３９】
さらにデータ処理装置は、ディスプレイコントローラ４１６を介して、Ｉ／Ｏローカルバス４０８に接続された複数の画面４１８に接続する。複数の画面４１８は、データ処理装置のディスプレイ画面１０１でもよく、ディスプレイデバイス１０５、１０６のディスプレイ画面１３４、１３６でもよい。データ処理装置は、ディスプレイコントローラ４１６と画面４１８を用いて、画像、テキスト、ビデオなどを表示する。画面４１８は、ユニバーサル・シリアルバス（ＵＳＢ）通信リンクを介して、あるいは当該技術分野で公知の無線または有線のビデオディスプレイ接続によって、ディスプレイコントローラ４１６に接続するようにしてもよい。
【００４０】
本発明の１実施形態によると、プロセッサは、ユーザが現在インタフェースをとっているディスプレイ画面１０１、１３４または１３６の識別子を、現在画面レジスタ（図示せず）に保持している。プロセッサはまた、ディスプレイ画面のそれぞれについて、ディスプレイ画面にオープンされているウインドウあるいは文書のリスト、ディスプレイ画面の現在のアクティブなウインドウあるいは文書の識別子、ディスプレイ画面のそれぞれのディスプレイモード（最大化あるいは最小化のいずれか）などを、保持している。
【００４１】
データ処理装置はさらに、Ｉ／Ｏローカルバス４０８に接続された１以上のユーザ入力機器４２２を有している。ユーザ入力機器４２２は、図１のキーボード１０２とマウス１０３を有している。ユーザは、ユーザ入力機器４２２を用いて、画面コントロールソフトウェア・アプリケーション１１２によって可能となった画面制御ユーザインタフェース１１４と対話することができる。
【００４２】
図１２は、本発明の１実施形態による画面制御ユーザインタフェース１１４の概要図である。画面制御ユーザインタフェースは、選択可能なアイコンをもつメニューバーの形式とすることができ、メニューバーにより、データ処理装置１００と、ディスプレイデバイス１０５、１０６の画面１３４、１３６とに対して、ディスプレイ画面１０１の機能を制御する。以下の説明のために、ディスプレイ画面１０１は、「画面１」、ディスプレイ画面１３４は、「画面２」、ディスプレイ画面１３６は、「画面３」という。
【００４３】
本発明の１実施形態によると、メニューバーは、選択可能なアイコン、例えば画面ボタン１１６、１１８、１２０をもち、これらのアイコンにより特定の画面を選択することができる。例えば、画面ボタン１１６に表示された番号「１」により、そのボタンが画面１に関係していることを示し、画面ボタン１１８に表示された番号「２」により、そのボタンが画面２に関係していることを示し、画面ボタン１２０に表示された番号「３」により、そのボタンが画面３に関係していることを示す。しかしながら、当業者であれば、特定の画面に特定のボタンを関係付けるその他の方法、例えば画面の種類によるもの、画面の位置によるものなどを採用することができる。
【００４４】
さらにメニューバーは、１以上の選択画面に加える操作を選択する操作選択アイコン１２２〜１２８を備えている。例えば、「切換え」ボタン１２２により、ユーザが、現在の画面（「元」（“ｆｒｏｍ”）画面）に表示されているウインドウを、目的の画面（「行先」（“ｔｏ”）画面）に移動して、目的の画面を作業画面とすることができる。このように、ユーザが画面１に表示されている文書を画面２に移動して、画面２を作業画面にしたい場合には、「切換」ボタン１２２を選択して、次に画面１ボタン１１６を選択し、さらに画面２ボタン１１８を選択する。さらに本発明の１実施形態によると、「元」画面に現在表示されているものはどれでも「行先」画面に移動させることができる。
【００４５】
「進む」（“ｇｏ  ｔｏ”）ボタン１２４により、ユーザが現在の作業画面を選択することができる。例えば、画面３に表示されている文書について作業をしているユーザが、画面１に表示される文書について作業をしたい場合には、ユーザは、「進む」ボタン１２４を選択して、続いて画面１ボタン１１８を選択すればよい。
【００４６】
“最小化”ボタン１２６と“閉じる”ボタン１２８によると、現在の作業画面上で選択されている文書を、移動させるか、最小化させるか、あるいは閉じることによって隠すことができる。
【００４７】
本発明の１実施形態によると、メニューバーはさらに、拒否ボタン１２７と受入ボタン１２９を有し、それぞれのボタンにより、複数文書表示装置の画面２あるいは画面３に表示される文書になされた注記を拒否したり受入れたりする。拒否ボタンと受入ボタンを選択することによって、ユーザがそれぞれの注記を個別に検討して、注記を拒否したり、受入れたりすることができる。
【００４８】
当業者であれば認識しているように、インタフェースは、アイコンまたはボタン付きのメニューバーの代わりに、他のユーザ入力機器、例えばキーボードに割当てられたキーを用いて、実現することができる。例えば、キーボードの「ＡＬＴ−ＴＡＢ」キーは、「進む」ボタンの機能を果たすようにプログラムされていて、「ＡＬＴ−ＴＡＢ」キーを連続して選択すると、ラウンド・ロビン方式で、それぞれ作業画面として異なる画面を選択する。
【００４９】
図１３は、本発明の代表的な実施形態による、画面制御ユーザインタフェース１１４の処理フロー図である。この処理は、データ処理装置のプロセッサ４０２が実行するコンピュータプログラム命令４１３として実現される。しかし、当業者であれば認識しているように、この処理は、ハードウェア、ファームウェア（例えばＡＳＩＣ）により、あるいはソフトウェア、ファームウェア、および／またはハードウェアの組み合わせで実現することができる。さらに、処理のステップは、示した順に実行してもよいが、当業者が認識している他の順で実行してもよい。
【００５０】
画面制御ユーザインタフェース処理２００は、複数文書ディスプレイ装置１０４の画面の選択と操作を制御する。画面コントロール処理は、ループ２０２として実現され、ループ２０２により、画面制御ユーザインタフェース１１４から行われるメニュー選択をモニタする。ステップ２０４では、ユーザによって最小化ボタンが選択されたか否か検出する処理が行なわれる。その結果がＹＥＳであれば、ステップ２０６で、現在の画面レジスタを検査することにより、現在の作業画面が、データ処理装置１００の画面すなわち画面１であるか否かの判定が行われる。もしそうなら、ステップ２０８で、ウインドウを最小化する代わりに、単に、複数文書ディスプレイ装置１０４のフリーの画面に、ウインドウを移動する処理が行なわれる。本発明の１実施形態によると、文書が、「最大化」あるいは「最小化」のどちらかで、表示されていない場合、画面は、フリーである、あるいは利用可能であるとみなされる。その結果、変更された画面についてのウインドウ情報および文書情報も、更新される。
【００５１】
フリーの画面がない場合、ステップ２１０で、ウインドウは、従来の方法で、画面１のツールバーあるいはタスクバー内に最小化される。
【００５２】
しかしながら、「最小化」ボタンの選択の際に、現在の作業画面が、複数文書ディスプレイ装置１０４のフリーの画面のひとつである場合には、選択された画面は、従来の方法で単に最小化され、選択可能な最大化アイコン（図示せず）が、データ処理装置の画面すなわち画面１に表示される。その結果、最小化されたウインドウに関する表示モード情報もまた、更新される。最大化アイコンの選択により、ウインドウは画面１に再表示される、あるいは複数文書ディスプレイ装置１０４の画面、すなわち画面２または３上で、最大化される。
【００５３】
ステップ２１２では、ユーザが「進む」ボタン１２４を選択したか否かの判定が行われる。その結果がＹＥＳであれば、ステップ２１３で、さらにどの画面ボタン１１６〜１２０がユーザによって選択されたかについて、判定が行われる。ステップ２１４では、選択された画面の識別子で、現在画面レジスタを更新し、選択された画面を現在の作業画面とする。
【００５４】
ステップ２１６では、ユーザが「閉じる」ボタン１２８を選択したか否かの判定が行われる。その結果がＹＥＳであれば、ステップ２１８で、現在の作業画面の現在のウインドウを閉じる、あるいはクリアする処理が行なわれる。閉じたウインドウは、ウインドウズのリストからクリアされ、文書は現在の作業画面に対して追跡される。
【００５５】
ステップ２２０では、ユーザが「切換」ボタン１２２を選択したか否かの判定が行われる。その結果がＹＥＳであれば、ステップ２２２で、第１画面ボタン選択を「元」画面とに割り当てる。ステップ２２４では、第２画面ボタン選択を「行先」画面に割り当てる。ステップ２２６では、「元」画面上に現在表示されているウインドウを、「行先」画面へ変更するあるいは切換える処理を行なう。その結果、「元」画面および「行先」画面についてのウインドウ情報および文書情報も、更新される。
【００５６】
本発明は、特定の実施形態により説明されたが、多くの付加的な修正あるいは変更ができることは、当業者にとって明らかであろう。したがって、本発明が具体的に記載されているものとは異なった態様で実施されることができるのも理解されよう。本発明のこの実施形態は、すべての点について、説明のためのものとして、かつ限定されないものとして考慮されるべきで、本発明の範囲は、先の説明によるのではなく、本出願に添付された請求の範囲およびその均等物によって規定されるべきである。
【図面の簡単な説明】
【００５７】
【図１】本発明の代表的実施形態による、複数文書表示装置を含むコンピュータ・ディスプレイシステムを説明するブロック図である。
【図２】本発明の１実施形態による図１の複数文書ディスプレイ装置の各種の図である。
【図３】本発明の１実施形態による図１の複数文書ディスプレイ装置の各種の図である。
【図４】本発明の１実施形態による図１の複数文書ディスプレイ装置の各種の図である。
【図５】本発明の１実施形態による図１の複数文書ディスプレイ装置の各種の図である。
【図６】本発明の１実施形態による図１の複数文書ディスプレイ装置の各種の図である。
【図７】本発明の１実施形態による図１〜６の複数文書ディスプレイ装置のディスプレイ機器をより詳細に示す図である。
【図８】本発明の他の実施形態による図１〜６の複数文書ディスプレイ装置のディスプレイ機器をより詳細に示す図である。
【図９】本発明の他の実施形態による、複数文書表示装置を含むコンピュータ・ディスプレイシステムを説明するブロック図である。
【図１０】本発明の他の実施形態による、複数文書表示装置のやや概略的なブロック図である。
【図１１】本発明の１実施形態による、画面制御ソフトウェア・アプリケーションを制御するデータ処理装置のアーキテクチュア図である。
【図１２】本発明の１実施形態による、図１１の画面制御ユーザインタフェースの概念図である。
【図１３】本発明の代表的実施形態による、図１１〜１２の画面制御ユーザインタフェースのプロセスフロー図である。
【図１】
2008500615.tif 000003
【図２】
2008500615.tif 000004
【図３】
2008500615.tif 000005
【図４】
2008500615.tif 000006
【図５】
2008500615.tif 000007
【図６】
2008500615.tif 000008
【図７】
2008500615.tif 000009
【図８】
2008500615.tif 000010
【図９】
2008500615.tif 000011
【図１０】
2008500615.tif 000012
【図１１】
2008500615.tif 000013
【図１２】
2008500615.tif 000014
【図１３】
2008500615.tif 000015
【手続補正書】
【提出日】平成19年1月22日(2007.1.22)
【手続補正１】
【補正対象書類名】特許請求の範囲
【補正対象項目名】全文
【補正方法】変更
【補正の内容】
【特許請求の範囲】
【請求項１】
第１のディスプレイ画面を備える第１のディスプレイ機器と、該第１のディスプレイ機器と通信するデータ処理装置を備えるコンピュータ・ディスプレイシステムにおいて、前記データ処理装置は、
複数の操作選択アイコンを有するグラフィック・ユーザインタフェースを表示する第２のディスプレイ画面と、
前記グラフィック・ユーザインタフェースから第１の操作選択アイコンを選択するユーザ入力機器と、
前記第２のディスプレイ画面と前記ユーザ入力機器に接続されるプロセッサであって、前記第２のディスプレイ画面上に前記グラフィック・ユーザインタフェースを提供し、前記第１の操作選択アイコンの前記選択に応じて、前記第１のディスプレイ画面について第１の操作を加えるプロセッサと、
を備えるコンピュータ・ディスプレイシステム。
【請求項２】
第１のディスプレイ画面と第１のユーザ入力機器とを備えるデータ処理装置と、該データ処理装置と通信する第１のディスプレイ機器とを備えるコンピュータ・ディスプレイシステムであって、前記第１のディスプレイ機器は、第２のディスプレイ画面を有するコンピュータ・ディスプレイシステムにおいて、該コンピュータ・ディスプレイシステムに表示される画像を操作する方法であって、
複数の操作選択アイコンを有するグラフィック・ユーザインタフェースを、第１のディスプレイ画面上に提供するステップと、
前記第１のユーザ入力機器を介して、前記グラフィック・ユーザインタフェースから第１の操作選択アイコンのユーザ選択を受信するステップと、
前記第１の操作選択アイコンの前記選択に応じて、第２のディスプレイ画面について第１の操作を加えるステップと、
を有する方法。
【請求項３】
前記第１のディスプレイ機器は、ディスプレイスタンドに結合され、かつ第２のユーザ入力機器を有し、さらに、
前記第２のディスプレイ画面上に電子文書を表示するステップと、
前記電子文書が、前記第２のディスプレイ画面に表示されたまま、前記第１のディスプレイ機器をディスプレイスタンドから取り外すステップと、
前記表示された電子文書に関するユーザの注記を受信するステップであって、前記注記は、前記第１のディスプレイ機器が、前記ディスプレイスタンドから取り外されている間に、前記第２のユーザ入力機器を介して入力されたものであるステップと、
前記第２のディスプレイ画面上に前記ユーザの注記を表示するステップと、
前記メモリにユーザの注記を記憶するステップと、
を有する請求項２に記載の方法。
【請求項４】
第１のディスプレイ画面と第１のユーザ入力機器を有するデータ処理装置と、該データ処理装置と通信するディスプレイ装置とを備えるコンピュータ・ディスプレイシステムであって、前記ディスプレイ装置は、ディスプレイスタンドと、該ディスプレイスタンドと結合された第１のディスプレイ機器とを有し、該第１のディスプレイ機器は、第２のディスプレイ画面と、第２のユーザ入力機器とを備えるコンピュータ・ディスプレイシステムにおいて、該コンピュータ・ディスプレイシステムに表示される画像を操作する方法であって、
複数の操作選択アイコンを有するグラフィック・ユーザインタフェースを、第１のディスプレイ画面上に提供するステップと、
前記第１のディスプレイ画面上に電子文書を表示するステップと、
前記第１のユーザ入力機器を介して、前記グラフィック・ユーザインタフェースから第１の操作選択アイコンのユーザ選択を受信するステップと、
前記第１の操作選択アイコンの前記ユーザ選択に応じて、前記第１のディスプレイ画面から前記第２のディスプレイ画面に前記電子文書の表示を移動させるステップと、
前記電子文書が、前記第２のディスプレイ画面に表示されたまま、前記第１のディスプレイ機器をディスプレイスタンドから取り外すステップと、
前記第２のディスプレイ画面上に表示された前記電子文書に関するユーザの注記を受信するステップであって、前記注記は、前記第１のディスプレイ機器が、前記ディスプレイスタンドから取り外されている間に、第２のユーザ入力機器を介して入力されたものであるステップと、
前記第２のディスプレイ画面上に前記ユーザの注記を表示するステップと、
前記ディスプレイスタンド上の前記第１のディスプレイ機器を再び取り付けるステップと、
前記第１のユーザ入力機器を介して、前記第２のディスプレイ画面に表示された前記電子文書に操作を行うステップと、
を有する方法。
【請求項５】
さらに、前記第１のユーザ入力機器を介して、前記グラフィック・ユーザインタフェースから第２の操作選択アイコンのユーザ選択を受信するステップと、
前記第２の操作選択アイコンの前記選択に応じて前記第２のディスプレイ画面に表示された前記電子文書に操作を行うステップと、
を有する請求項４に記載の方法。
【請求項６】
さらに、前記第２のディスプレイ画面上に前記電子文書を表示するのと同時に、前記第１のディスプレイ画面上に第２の電子文書を表示するステップを有する請求項４に記載の方法。
【手続補正２】
【補正対象書類名】明細書
【補正対象項目名】００５６
【補正方法】変更
【補正の内容】
【００５６】
本発明は、特定の実施形態により説明されたが、多くの付加的な修正あるいは変更がで
きることは、当業者にとって明らかであろう。したがって、本発明が具体的に記載されて
いるものとは異なった態様で実施されることができるのも理解されよう。本発明のこの実
施形態は、すべての点について、説明のためのものとして、かつ限定されないものとして
考慮されるべきで、本発明の範囲は、先の説明によるのではなく、本出願に添付された請
求の範囲およびその均等物によって規定されるべきである。
本発明の態様は、以下のように要約することができる。
１．第１のディスプレイ画面と、第１のユーザ入力機器と、前記第１のディスプレイ画面および前記第１のユーザ入力機器に接続されたプロセッサとを備えるデータ処理装置であって、該プロセッサは、前記第１のディスプレイ画面上に、複数の操作選択アイコンを有するグラフィック・ユーザインタフェースを提供するデータ処理装置と、
前記データ処理装置と通信する第１のディスプレイ機器であって、該第１のディスプレイ機器は、第２のディスプレイ画面を有し、前記プロセッサは、前記第１のユーザ入力機器を用いて行われる、前記グラフィック・ユーザインタフェース上の第１の操作選択アイコンのユーザ選択に応じて、前記第２のディスプレイ画面について第１の操作を加える第１のディスプレイ機器と、
を備えるコンピュータ・ディスプレイシステム。
２．前記第１の操作は、第１のディスプレイ画面と第２のディスプレイ画面との間で画像を移動させることである請求項１に記載のコンピュータ・ディスプレイシステム。
３．前記第１の操作により、現在の作業画面として第２のディスプレイ画面を呼び出す請求項１に記載のコンピュータ・ディスプレイシステム。
４．前記第１の操作により、第２のディスプレイ画面に表示されている画像を隠す請求項１に記載のコンピュータ・ディスプレイシステム。
５．さらに、前記データ処理装置と通信する第２のディスプレイ機器を備え、該第２のディスプレイ機器は、第３のディスプレイ画面を有する請求項１に記載のコンピュータ・ディスプレイシステム。
６．前記第１のユーザ入力機器を用いる、前記グラフィック・ユーザインタフェースの第２の操作選択アイコンのユーザ選択に応じて、第２の操作が、前記第３のディスプレイ画面について行われ、該第２の操作により、前記第２のディスプレイ画面と前記第３のディスプレイ画面との間で画像を移動させる請求項５に記載のコンピュータ・ディスプレイシステム。
７．前記第１のディスプレイ機器は、データ処理装置に機械的に結合されている請求項１に記載のコンピュータ・ディスプレイシステム。
８．さらに、ディスプレイスタンドを備え、前記第１のディスプレイ機器は、該ディスプレイスタンドに取り外し可能に結合されている請求項１に記載のコンピュータ・ディスプレイシステム。
９．さらに、前記第１のディスプレイ機器は、コントローラ、メモリ、および第２のユーザ入力機器を備え、該メモリに記憶されているプログラム命令は、実行されると、
コントローラに、
第２のディスプレイ画面上に電子文書を表示するステップと、
前記表示された電子文書に関するユーザの注記を受信するステップであって、前記注記は、第２のユーザ入力機器を用いて入力されたものであるステップと、
第２のディスプレイ画面上のユーザの注記を表示するステップと、
前記メモリにユーザの注記を記憶するステップと、
を実行させる請求項１に記載のコンピュータ・ディスプレイシステム。
１０．第１のディスプレイ画面と、第１のユーザ入力機器と、前記第１のディスプレイ画面および前記第１のユーザ入力機器とに接続されたプロセッサとを有するデータ処理装置を備え、該プロセッサは、複数の操作選択アイコンを有するグラフィック・ユーザインタフェースを、前記第１のディスプレイ画面上に提供するコンピュータ・ディスプレイシステムであって、さらに前記データ処理装置と通信するディスプレイ装置を備えるコンピュータ・ディスプレイシステムにおいて、該ディスプレイ装置は、
ディスプレイスタンドと、
該ディスプレイスタンドに結合され、かつ第２のディスプレイ画面を有する第１のディスプレイ機器であって、前記第１のユーザ入力機器を用いて行われる、前記グラフィック・ユーザインタフェース上の第１の操作選択アイコンのユーザ選択に応じて、前記プロセッサが、前記第２のディスプレイ画面について前記第１の操作を加えるディスプレイ機器と、
を備えるコンピュータディスプレイシステム。
１１．前記第１の操作は、第１のディスプレイ画面と第２のディスプレイ画面との間で画像を移動させることである請求項１０に記載のコンピュータ・ディスプレイシステム。
１２．前記第１の操作により、現在の作業画面として第２のディスプレイ画面を呼び出す請求項１０に記載のコンピュータ・ディスプレイシステム。
１３．前記第１の操作により、第２のディスプレイ画面に表示されている画像を隠す請求項１０に記載のコンピュータ・ディスプレイシステム。
１４．さらに、前記ディスプレイスタンドに結合された第２のディスプレイ機器を備え、該第２のディスプレイ機器は、第３のディスプレイ画面を有する請求項１０に記載のコンピュータ・ディスプレイシステム。
１５．前記第１のユーザ入力機器を用いることによって、前記グラフィック・ユーザインタフェースの第２の操作選択アイコンのユーザ選択に応じて、第２の操作が、前記第３のディスプレイ画面について加えられるもので、該第２の操作によって、前記第２のディスプレイ画面と前記第３のディスプレイ画面とで画像を移動させる請求項１４に記載のコンピュータ・ディスプレイシステム。
１６．さらに、前記第１のディスプレイ機器は、コントローラと、メモリと、第２のユーザ入力機器とを備え、該メモリに記憶されているプログラム命令は、実行されると、
コントローラに、
前記第２のディスプレイ画面上に電子文書を表示するステップと、
前記表示された電子文書に関するユーザの注記を受信するステップであって、該注記は、第２のユーザ入力機器を用いて入力されたものであるステップと、
前記第２のディスプレイ画面上に前記ユーザの注記を表示するステップと、
前記メモリにユーザの注記を記憶するステップと、
を実行させる請求項１０に記載のコンピュータ・ディスプレイシステム。
１７．第１のディスプレイ画面を備えた第１のディスプレイ機器と、該第１のディスプレイ機器に接続されたデータ処理装置とを有するコンピュータ・ディスプレイシステムにおいて、前記データ処理装置は、
複数の操作選択アイコンを有するグラフィック・ユーザインタフェースを表示する第２のディスプレイ画面と、
前記グラフィック・ユーザインタフェースから第１の操作選択アイコンを選択するユーザ入力機器と、
前記第２のディスプレイ画面と前記ユーザ入力機器とに接続されたプロセッサであって、前記第２のディスプレイ画面上に前記グラフィック・ユーザインタフェースを提供し、第１の操作選択アイコンのユーザ選択に応じて、第１のディスプレイ画面について第１の操作を加えるプロセッサと、
を備えるコンピュータ・ディスプレイシステム。
１８．前記第１の操作は、第１のディスプレイ画面と第２のディスプレイ画面との間で画像を移動させることである請求項１７に記載のコンピュータ・ディスプレイシステム。
１９．前記第１の操作により、現在の作業画面として第２のディスプレイ画面を呼び出す請求項１７に記載のコンピュータ・ディスプレイシステム。
２０．前記第１の操作により、第２のディスプレイ画面に表示されている画像を隠す請求項１７に記載のコンピュータ・ディスプレイシステム。
２１．前記データ処理装置は、第３のディスプレイ画面を有する第２のディスプレイ機器と通信し、第２の操作が、前記グラフィック・ユーザインタフェースの第２の操作選択アイコンのユーザ選択に応じて、前記第３のディスプレイ画面について加えられ、該第２の操作により、前記第２のディスプレイ画面と前記第３のディスプレイ画面との間で画像を移動させる請求項１７に記載のコンピュータ・ディスプレイシステム。
２２．第１のディスプレイ画面と第１のユーザ入力機器とを備えるデータ処理装置と、該データ処理装置と通信するディスプレイ機器とを備えるコンピュータ・ディスプレイシステムであって、前記第１のディスプレイ機器は、第２のディスプレイ画面を有するコンピュータ・ディスプレイシステムにおいて、該コンピュータ・ディスプレイシステムに表示される画像を操作する方法であって、
複数の操作選択アイコンを有するグラフィック・ユーザインタフェースを、第１のディスプレイ画面上に提供するステップと、
前記第１のユーザ入力機器を介して、前記グラフィック・ユーザインタフェースから第１の操作選択アイコンのユーザ選択を受信するステップと、
前記第１の操作選択アイコンの前記選択に応じて、第２のディスプレイ画面について第１の操作を加えるステップと、
を有する方法。
２３．前記第１の操作は、第１のディスプレイ画面と第２のディスプレイ画面との間で画像を移動させることである請求項２２に記載の方法。
２４．前記第１の操作により、現在の作業画面として第２のディスプレイ画面を呼び出す請求項２２に記載の方法。
２５．前記第１の操作により、第２のディスプレイ画面に表示されている画像を隠す請求項２２に記載の方法。
２６．前記データ処理装置は、第３のディスプレイ画面を有する第２のディスプレイ機器と通信するものであって、さらに、
前記第１のユーザ入力機器を介して、前記グラフィック・ユーザインタフェースから第２の操作選択アイコンのユーザ選択を受信するステップと、
前記第２の操作選択アイコンの前記選択に応じて、第３のディスプレイ画面について第２の操作を加えるステップであって、該第２の操作は、前記第２のディスプレイ画面と前記第３のディスプレイ画面との間で画像を移動させるステップと、
を有する請求項２２に記載の方法。
２７．第１のディスプレイ機器は、ディスプレイスタンドに結合され、かつ第２のユーザ入力機器を有し、さらに、
前記第２のディスプレイ画面の電子文書を表示するステップと、
前記電子文書が、前記第２のディスプレイ画面に表示されたまま、前記第１のディスプレイ機器をディスプレイスタンドから取り外すステップと、
前記表示された電子文書に関するユーザの注記を受信するステップであって、前記注記は、前記第１のディスプレイ機器が、前記ディスプレイスタンドから取り外されている間に、前記第２のユーザ入力機器を介して入力されたものであるステップと、
前記第２のディスプレイ画面上に前記ユーザの注記を表示するステップと、
前記メモリにユーザの注記を記憶するステップと、
を有する請求項２２に記載の方法。
２８．第１のディスプレイ画面と第１のユーザ入力機器を有するデータ処理装置と、該データ処理装置と通信するディスプレイ装置とを備えるコンピュータ・ディスプレイシステムであって、前記ディスプレイ装置は、ディスプレイスタンドと、該ディスプレイスタンドと結合された第１のディスプレイ機器とを有し、該第１のディスプレイ機器は、第２のディスプレイ画面と、第２のユーザ入力機器とを備えているコンピュータ・ディスプレイシステムにおいて、該コンピュータ・ディスプレイシステムに表示される画像を操作する方法であって、
複数の操作選択アイコンを有するグラフィック・ユーザインタフェースを、第１のディスプレイ画面上に提供するステップと、
前記第１のディスプレイ画面上に電子文書を表示するステップと、
前記第１のユーザ入力機器を介して、前記グラフィック・ユーザインタフェースから第１の操作選択アイコンのユーザ選択を受信するステップと、
前記第１の操作選択アイコンの前記ユーザ選択に応じて、前記第１のディスプレイ画面から前記第２のディスプレイ画面に前記電子文書の表示を移動させるステップと、
前記電子文書が、前記第２のディスプレイ画面に表示されたまま、前記第１のディスプレイ機器をディスプレイスタンドから取り外すステップと、
前記第２のディスプレイ画面上に表示された前記電子文書に関するユーザの注記を受信するステップであって、前記注記は、前記第１のディスプレイ機器が、前記ディスプレイスタンドから取り外されている間に、第２のユーザ入力機器を介して入力されたものであるステップと、
前記第２のディスプレイ画面上に前記ユーザの注記を表示するステップと、
前記ディスプレイスタンド上の前記第１のディスプレイ機器を再び取り付けるステップと、
前記第１のユーザ入力機器を介して、前記第２のディスプレイ画面に表示された前記電子文書に操作を行うステップと、
を有する方法。
２９．さらに、前記第１のユーザ入力機器を介して、前記グラフィック・ユーザインタフェースから第２の操作選択アイコンのユーザ選択を受信するステップと、
前記第１のユーザ入力機器を介して、前記第２のディスプレイ画面に表示された前記電子文書に操作を行うステップと、
を有する請求項２８に記載の方法。
３０．さらに、前記第２のディスプレイ画面上の前記電子文書を表示するのと同時に、前記第１のディスプレイ画面に第２の電子文書を表示させるステップを有する請求項２８に記載の方法。
【国際調査報告】
2008500615.tif 000016